(57)【特許請求の範囲】
【請求項１】
同一又は異なる形状の複数枚の板状の厚紙本体の周囲に、厚紙本体の周端縁に沿って基部に係合溝を有し、同一形状で同一サイズで同一厚さの係合片が、同一の間隔を於いて複数個突設されると共に、係合溝は係合片の同一側に設けられ、係合溝の溝巾は係合片の厚さよりも広く形成され、係合溝の途中に係合溝の係合片側より突部が設けられ、各厚紙本体の係合片は互いに各厚紙本体の係合溝に係合離脱可能となっていることを特徴とする厚紙製組立玩具。
【請求項２】
同一又は異なる形状の複数枚の板状の厚紙本体の周囲に、厚紙本体の周端縁に沿って基部に係合溝を有し、同一形状で同一サイズで同一厚さの係合片が、同一の間隔を於いて複数個突設されると共に、係合溝は係合片の同一側に設けられ、係合溝の溝巾は係合片の厚さよりも広く形成され、係合溝の途中に係合溝の両側より突部が対向して設けられた挾持部が形成され、各厚紙本体の係合片は互いに各厚紙本体の係合溝に係合離脱可能となっていることを特徴とする厚紙製組立玩具。
【発明の詳細な説明】
【０００１】
【発明の属する技術分野】
本発明は、子供が簡単に自由な発想により組み立てが可能で、組み立て後、分離し嵩張らず収納も容易な厚紙製組立玩具に関するものである。
【０００２】
【従来の技術】
従来の紙製の組立玩具は、組み立てる場合に糊等の接着剤を必要としていたので、接着剤がないと組み立てが不可能で、つい組み立てが億劫になりがちであった。
又、接着剤を使用すると、子供は手や衣服等に接着剤を付けて汚してしまうこともあり、玩具としては必ずしも好ましいとは言えなかったのである。
【０００３】
そして、一旦組み立ててしまうと、片付ける場合に糊付けした箇所を離すことはできず、嵩張る問題点を有していると共に、組み立てる楽しさは１回だけのものとなってしまうのである。
又、従来の紙製の組立玩具は完成品の小片が予め用意され、これを説明書通りに組み立て復元するものであるから、子供の創造力を養うことは不可能である。
又、従来は厚紙の組み立てで、係合片の係合溝への係合は隙間なく係合されるため、連結部に融通性がなく角度の調整は不可能であった。
【０００４】
【発明が解決しようとする課題】
上記点より本発明は、糊等の接着剤を使用せずに子供が独自の創作力により自由に組み立て、不要となった時に分解し、コンパクトに収納も可能で、かつ繰り返し使用することができる厚紙製組立玩具を提供しようとするものである。
【０００５】
【課題を解決するための手段】
上記課題を解決するため本発明厚紙製組立玩具は、同一又は異なる形状の複数枚の板状の厚紙本体の周囲に、厚紙本体の周端縁に沿って基部に係合溝を有し、同一形状で同一サイズで同一厚さの係合片が、同一の間隔を於いて複数個突設されると共に、前記係合溝は係合片の同一側に設けられ、各厚紙本体の係合片は互いに各厚紙本体の係合溝に係合離脱可能となっていることを特徴とするものである。
【０００６】
又、係合溝の溝巾は係合片の厚さよりも広く形成されていることが好ましい。
又、係合溝の途中に係合溝の係合片側より突部が設けられていると好適であり、係合溝の途中に係合溝の両側より突部を対向して設けた挾持部を形成することもできる。
【０００７】
上記構成を有する本発明は、各厚紙本体の周囲に厚紙本体の周端縁に沿った係合溝を有する係合片が、同一形状で同一サイズで同一厚さで同一の間隔を於いて複数個突設されると共に、係合溝は係合片の同一側に設けられ、各厚紙本体の係合片は互いに各厚紙本体の係合溝に係合離脱可能となっているため、各厚紙本体同士は係合片と係合溝により任意形体に連結又は分離可能である。よって接着剤を使用せずに組み立てが可能となる。
【０００８】
又、板状の厚紙本体は同士又は異なる形状の複数枚から成るため、同一形状の厚紙本体を組み合わせることもでき、又異なる形状の厚紙本体を組み合わせることもできる。
又、組み立て後、不要となった時は容易に分離でき、分離した厚紙本体は板状であるため嵩張らず、コンパクトに収納が可能である。
【０００９】
そして、係合溝の溝巾は係合片の厚さよりも広く形成されているため、連結部分に融通性があり、連結する厚紙本体同士の角度を自由に調整できると共に、横又は縦方向に平面状に連結が可能となる。
又、係合溝の途中に係合溝の係合片側より突部が設けられていると、この突部が係合時に連結する厚紙本体の係合片を押圧するので、係合部分が簡単に外れないようになる。
【００１０】
又、係合溝の途中に係合溝の両側より突部を対向して設けた挾持部が形成されていると、この挾持部が係合時に連結する厚紙本体の係合片を挾持するので、係合部が簡単に外れないようになる。
【００１１】
【発明の実施の形態】
以下、本発明の一実施の形態に基づき説明する。
全図を通して同一符合は同一又は相当する部分を示すものとする。
図１乃至図３は本発明厚紙製組立玩具の単体の表面図を示すものであり、図中１はボール紙等から成る板状の厚紙本体であり、図１は厚紙本体１が正方形の場合を示し、図２は厚紙本体１が正三角形の場合を示し、図３は厚紙本体１が円形に近い多角形の場合を示している。
厚紙本体１の形状はかかる形状に限定されるものではなく、長方形や三角形、台形等種々の形状が考えられる。
【００１２】
２は厚紙本体１の周囲に同一の間隔を於いて突設した係合片であり、この係合片２は同一形状で同一サイズで同一厚さに形成されている。
そして、係合片２の基部に厚紙本体に周端縁に沿って一方の側から係合片２の中央部にかけて係合溝３が設けられている。この係合溝３は各係合片２の同一側に設けられている。
【００１３】
図４は同一サイズの正方形状の厚紙本体１を６枚組み合わせた直方体を形成した場合を示し、図５は三角形の厚紙本体１と長方形の厚紙本体１を組み合わせて三角柱体を形成した場合を示し、図６は多角形状の厚紙本体１と長方形の厚紙本体１を折り曲げて組み合わせ、角柱体を形成した場合を示している。
尚、組み合わせはこれ等に限定されるものではないことは勿論である。
【００１４】
次に、図７は厚紙本体１の連結部に於いて係合溝３の溝巾が係合片２の厚さよりも広く形成されているため、連結部の角度を自由に設定することができる。
又、図８に示すように平面状の連結も可能となる。
【００１５】
次に、図９は厚紙本体１同士が直角に連結した場合を示し、図中４は係合片２の係合溝３の途中に係合溝３の係合片側より突設した突部であり、厚紙本体１の周端縁との間に僅かに間隔がおかれている。
そして、突部４は連結部で連結相手の係合片２を押圧する。
【００１６】
次に、図１０は請求項２の発明の一実施の形態を示すもので、厚紙本体１同士が直角に連結した場合を示し、図中５は係合片２の係合溝３の途中に係合溝３の両側より対向して突設された突部であり、この突部５、５により挾持部６が形成されている。
そして、挾持部６は連結部で連結相手の係合片２を挾持する。
【００１７】
【発明の効果】
本発明によれば、各厚紙本体は係合片と係合溝との係合により連結されるため、好きな形状の厚紙本体を選択して、子供が自由な発想で思う通りの形体に組み立てることができ、創造力の育成に役立つものである。
又、接着剤を使用しないため、分解も容易で繰り返し組み立てができ、不要となった時は厚紙本体は板状であるためコンパクトに収納が可能となる。
又、接着剤を使用しないため、従来のように子供の手や衣服に接着剤が付いて汚してしまうこともない。
又、紙製であるから安価であると共に、廃棄した場合も公害問題も生じない等有用な発明である。
【００１８】
そして、係合溝の溝巾は係合片の厚さよりも広く形成されているため、連結部分に融通性があり、連結する厚紙本体同士の角度を自由に調整できると共に、横又は縦方向に平面状に連結が可能となる。
係合溝の途中に係合溝の係合片側より突部が設けられていると、この突部が係合時に連結する厚紙本体の係合片を押圧するので、係合部分が簡単に外れないようになる。
又、係合溝の途中に係合溝の両側より突部を対向して設けた挾持部が形成されていると、この挾持部が係合時に連結する厚紙本体の係合片を挾持するので、係合部が簡単に外れないようになる。
【図面の簡単な説明】
【図１】  本発明の一実施の形態を示す表面図である。
【図２】  本発明の一実施の形態を示す表面図である。
【図３】  本発明の一実施の形態を示す表面図である。
【図４】  本発明の組み立て状態を示す斜視図である。
【図５】  本発明の組み立て状態を示す斜視図である。
【図６】  本発明の組み立て状態を示す斜視図である。
【図７】  本発明の一実施の形態を示す部分平面図である。
【図８】  本発明の一実施の形態を示す正面図である。
【図９】  本発明の一実施の形態を示す部分正面図である。
【図１０】  本発明の他の一実施の形態を示す部分正面図である。
【符号の説明】
１    厚紙本体
２    係合片
３    係合溝
４    突部
５    突部
６    挾持部
【図１】
0004232860.tif 000002
【図２】
0004232860.tif 000003
【図３】
0004232860.tif 000004
【図４】
0004232860.tif 000005
【図５】
0004232860.tif 000006
【図６】
0004232860.tif 000007
【図７】
0004232860.tif 000008
【図８】
0004232860.tif 000009
【図９】
0004232860.tif 000010
【図１０】
0004232860.tif 000011